(57)【特許請求の範囲】
【請求項１】
線状にした形状保持樹脂をメッシュ状に織って熱溶着により固定した芯材と、
前記芯材を挟み込む外装生地とを備え、
前記芯材が前記外装生地に固着されている、背負いベルト。
【請求項２】
前記芯材はメッシュ孔を含み、
前記メッシュ孔に行き渡るように塗布された接着剤をさらに備えた、請求項１に記載の背負いベルト。
【請求項３】
前記芯材が前記外装生地に縫着されている、請求項１または２に記載の背負いベルト。
【発明の詳細な説明】
【技術分野】
【０００１】
この発明は、ランドセルやリュックサック等の背負い鞄、学生鞄やビジネスバッグ等のショルダーバッグ、その他各種鞄の背当て部や背負いベルト等に用いられる鞄用芯材に関するものである。
【背景技術】
【０００２】
従来、この種の鞄用芯材としては、図７、８に示したように、ランドセルＲの背部１１から背負いベルトＢに向かって湾曲させた形状記憶材料よりなる補強材１２からなるものが存在する。この鞄用芯材は、背負いベルトＢの表部材１３とクッション材１４の間に、この背負いベルトＢの長手方向に沿って止着させたものとしている（特許文献１）。
【０００３】
このような鞄用芯材を用いたランドセルＲは、長期間の使用によっても背負いベルトＢがへたばることがなく、使用者の肩にいつまでもフィットする形状を維持しており、背負ったランドセルＲが重く感じることがないものとなるとしている。
【０００４】
さらに、この種の鞄用芯材としては、図９〜１１に示したように、樹脂製形状保持テープ２１からなるものが存在する。この鞄用芯材は、ランドセルＲにおける合成皮革などからなる外装生地２２（表生地２２ａ、裏生地２２ｂ）の間に合成樹脂などからなるクッション材２３を挟み込んだ背負いベルトＢに、その外装生地２２とクッション材２３の間に挟み込み、これらを一纏めにして縫着したものとしている（特許文献２）。
【０００５】
このような鞄用芯材を用いたランドセルＲは、どのような体格の使用者がそのランドセルＲを背負ったときにも、背負いベルトＢを使用者の身体にフィットさせることができるものとなるとしている。
【特許文献１】登録実用新案第３０１１７０７号公報（第５頁、図１、２）
【特許文献２】登録実用新案第３１２６８８７号公報（第３、４頁、図１、３、５）
【発明の開示】
【発明が解決しようとする課題】
【０００６】
しかしながら、上記従来の鞄用芯材は、何れも板状体からなっているため、硬くて定形に裁断するのが困難であり、また鞄に多く用いると重量が大きくなり、芯材を用いることによって鞄の重量も大きくなるという問題点を有していた。
【０００７】
さらに、上記従来の鞄用芯材は、何れも平滑な板状体からなっているため、背負いベルトのような細い部分に挟み込む場合であっても、その内部で移動してずれてしまうことがあり、鞄本体の胴部や底部、蓋部などの広い部分に挟み込む場合には、特にこれらの内部で移動してずれてしまい、取り付けたい位置に正確に取り付けることができなくなるという問題点を有していた。
【０００８】
また、上記従来の鞄用芯材は、取り付けたい位置に正確に取り付けるために接着剤を用いても、平滑な板状体からなっているため背負いベルトや鞄本体と接着しにくく、その取り付けたい位置への位置決めが困難であるという問題点を有していた。
【０００９】
そこで、この発明は、上記従来の問題点を解決するものであり、鞄に多く用いても鞄の重量が大きくならず、しかも鞄の取り付けたい位置への位置決めが簡単になり、その取り付けたい位置に正確に取り付けることのできる鞄用芯材を提供することを目的としてなされたものである。
【課題を解決するための手段】
【００１０】
この発明の背負いベルトは、線状にした形状保持樹脂をメッシュ状に織って熱溶着により固定した芯材と、芯材を挟み込む外装生地とを備えている。芯材が外装生地に固着されている。
【００１１】
さらに、この発明の背負いベルトでは、芯材はメッシュ孔を含んでいる。背負いベルトはメッシュ孔に行き渡るように塗布された接着剤をさらに備えている。また、上記の背負いベルトでは、芯材が外装生地に縫着されている。
【発明の効果】
【００１２】
この発明の鞄用芯材は、以上に述べたように構成されているので、鞄に多く用いても鞄の重量が大きくならず、しかも鞄の取り付けたい位置への位置決めが簡単になり、その取り付けたい位置に正確に取り付けることのできるものとなり、各種鞄に用いられるのに好適なものとなる。
【発明を実施するための最良の形態】
【００１３】
以下、この発明の鞄用芯材を実施するための最良の形態を、図面に基づいて詳細に説明する。
【００１４】
この発明の鞄用芯材Ｍは、図１に示したように、線状にした形状保持樹脂１をメッシュ状に織って熱溶着により固定し、定形に裁断可能としたものとしている。
【００１５】
前記形状保持樹脂１は、直径約０．３〜１ｍｍの略円形断面を有する線状体としており、一本または複数本を束にして、約０．５〜２ｍｍ角のメッシュ孔２を有するようにしてメッシュ状に織ったものとしている。
【００１６】
この発明で形状保持樹脂１とは、形状保持性を有する塑性変形可能な合成樹脂からなるものをいい、手指などによって曲げると、任意の角度に曲げることができ、さらに異なる曲げ角度に曲げる力が加わるまでは、その曲げられた形状をそのまま保持し得るものをいう。このようなものとしては、ポリオレフィンを一軸方向に高倍率延伸することにより得られるものがあり、例えば積水化学工業株式会社製の合成樹脂製形状保持材料である「フォルテ」（商標名）を上げることができるが、これに限定されるものではない。
【００１７】
この発明の鞄用芯材Ｍは、以上のような構成にすることにより、定形に裁断可能なものとなり、例えば図２〜４に示したように、ランドセルＲの背負いベルトＢの使用者の身体に接触する部分の少なくとも一部に、背負いベルトＢの形状を変形可能として、この背負いベルトＢに付設可能としたものとすることができる。
【００１８】
すなわち、この発明の鞄用芯材Ｍを、図２、３に示したように、合成皮革などの外装生地３（表生地３ａ、裏生地３ｂ）の間に合成樹脂などのクッション材４を挟み込んだ背負いベルトＢの上ベルトＢ1 の略上半部に対応した形状に裁断し、接着剤を塗布して前記外装生地３とクッション材４との間に挟み込み位置決めしてから、これらを一纏めにして縫着して固定したものとしている。
【００１９】
さらに、この発明の鞄用芯材Ｍを、図２、４に示したように、合成皮革などの表生地３ａと裏生地３ｂを重ね合わせた外装生地３よりなる背負いベルトＢの下ベルトＢ2 の略全体に対応した形状に裁断し、接着剤を塗布して前記表生地３ａと裏生地３ｂとの間に挟み込み位置決めしてから、これらを一纏めにして鋲５で固定したものとしている。
【００２０】
この場合、この発明の鞄用芯材Ｍは、メッシュ状に織ったものとしているので、摩擦抵抗が大きくなり、外装生地３とクッション材４の間、または表生地３ａと裏生地３ｂの間に挟み込んだときに滑りにくくなり、位置決めがし易いものとなる。さらに、この発明の鞄用芯材Ｍでは、形状保持樹脂１に塗布した接着剤が、織り目やメッシュ孔３に行き渡り、形状保持樹脂１と背負いベルトＢとの接触面積が広くなって固化するので、接着力が強くなり、位置決めがし易いものとなる。
【００２１】
以上のようにしてこの発明の鞄用芯材Ｍを付設したランドセルＲの背負いベルトＢは、図５に示したように、鞄用芯材Ｍを付設した部分の形状を使用者の身体との間に隙間が生じないように面接着するように、すなわち使用者の身体に全幅が面接着するように調整する。
【００２２】
前記背負いベルトＢをこのように調整するには、背負いベルトＢの上ベルトＢ1 の使用者の肩から胸に接触する部分を、使用者の肩から胸にかけての湾曲形状に合わせて折り曲げ、その折り曲げた形状に維持しておき、背負いベルトＢの下ベルトＢ2 の外側縁が使用者の脇腹に近づくように傾斜させた状態に折り曲げ、その折り曲げた形状に維持しておけばよい。
【００２３】
そして、背負いベルトＢをこのように調整したランドセルＲを背負った場合には、図６に示したように、使用者の肩の位置や、使用者の脇腹から胸にかけた位置において、 背負いベルトＢの全幅が面接着するようになり、背負いベルトＢが使用者の身体にフィットしたものとなる。
【００２４】
さらに、この発明の鞄用芯材Ｍは、メッシュ状に織ったものとしており、非常に軽いものとなっているので、背負いベルトＢも軽くなり、ランドセルＲの使用者に重量面でも負担の与えないものとなる。なお、この発明の鞄用芯材Ｍは、上記実施形態のようにランドセルＲの背負いベルトＢに実施するといっても、従来のような平滑な板状体からなるものを使用すると、背負いベルトＢが重くなり、重いランドセルＲがさらに重くなって、使用者である小学生にとっては、ランドセルＲを背負う場合に大きな負担を与えるものになってしまう。
【００２５】
また、この発明の鞄用芯材Ｍは、鞄本体の胴部や底部の全体に使用する場合もあるが、このような場合にもその鞄の重量に影響を与えることなく、鞄をそれほど重くないものにすることができる。しかし、従来のような平滑な板状体からなる鞄用芯材では、その鞄の重量に相当な影響を与えるものとなり、鞄が非常に重いものになってしまう。
【図面の簡単な説明】
【００２６】
【図１】この発明の鞄用芯材の一実施形態を示す斜視図である。
【図２】この発明の鞄用芯材を背負いベルトに用いたランドセルの背面図である。
【図３】この発明の鞄用芯材を用いた背負いベルトの上ベルトの一部断面斜視図である。
【図４】この発明の鞄用芯材を用いた背負いベルトの下ベルトの平面図である。
【図５】この発明の鞄用芯材を用いた背負いベルトをランドセルが背負い易いように調整した状態を示す説明図である。
【図６】図５のように調整したランドセルを背負った状態を示す説明図である。
【図７】従来の鞄用芯材の一例を背負いベルトに用いたランドセルの斜視図である。
【図８】従来の鞄用芯材の一例を用いた背負いベルトの一部断面斜視図である。
【図９】従来の鞄用芯材の他の例を示す斜視図である。
【図１０】図９に示す従来の鞄用芯材を背負いベルトに用いたランドセルの背面図である。
【図１１】図９に示す従来の鞄用芯材を用いた背負いベルトの一部断面斜視図である。
【符号の説明】
【００２７】
１  形状保持樹脂
Ｂ  背負いベルト
【図１】
0005148231.tif 000002
【図２】
0005148231.tif 000003
【図３】
0005148231.tif 000004
【図４】
0005148231.tif 000005
【図５】
0005148231.tif 000006
【図６】
0005148231.tif 000007
【図７】
0005148231.tif 000008
【図８】
0005148231.tif 000009
【図９】
0005148231.tif 000010
【図１０】
0005148231.tif 000011
【図１１】
0005148231.tif 000012